(57)【特許請求の範囲】
【請求項１】
相手コネクタと連結するためのコネクタハウジングと、前記コネクタハウジングに接続されると共に一端が開口した凹部を有するケーブルハウジングと、内部に配置された閉じた案内手段を有するコア部材と、キャップ部材とを具備し、
前記閉じた案内手段は、前記コア部材の側面を貫通して同軸ケーブルの内部導体を前記コア部材内に案内する第１の孔であり、
前記コア部材は、前記コネクタハウジング及び前記ケーブルハウジング内に延び且つ前記一端が開口した凹部内に少なくとも部分的に延び、この結果、圧着工具が、前記ケーブルハウジングの両側に位置する切欠から前記一端が開口した凹部を通って前記コア部材にアクセス可能であり、さらに前記コア部材は、前記第１の孔に直交して延びる第２の孔を有し、前記第１の孔内に案内された前記同軸ケーブルの前記内部導体は、前記コア部材に圧着及び半田付けの一方又は双方がなされ、
前記キャップ部材は、前記同軸ケーブルの前記内部導体の取付の際に、前記一端が開口した凹部を封止することを特徴とする同軸ケーブルコネクタ。
【発明の詳細な説明】
【０００１】
【発明の属する技術分野】
本発明は、同軸ケーブルコネクタに関し、より詳細には無線周波数の同軸コネクタに関する。
【０００２】
【従来の技術】
無線周波数（ＲＦ）同軸ケーブルコネクタは、地球測位システム（ＧＰＳ）、自動車用ラジオ、携帯電話、事故後処理(after-crash management)及びマルチメディア等の多くの自動車ナビゲーション及び通信システム用途に使用される。所与のコネクタの構成は、（ケーブル対ケーブルコネクタか、ケーブル対印刷回路基板か等の）ワイヤ接続構造、作動、性能及び空間の要求事項等の多数の要求事項に依存する。例えば、特定の自動車用途では、50Ωのインピーダンスを有するライトアングル型の圧着タイプのＳＭＢコネクタが要求される。
【０００３】
半田付け又は圧着は、コネクタをケーブルに取り付けるために一般的に使用される。通常は接続が半田付けより容易にできるので、圧着がより一般的に使用される。しかし、より安定した接続が望ましい場合、半田付けが使用されることがある。ケーブル−コネクタ取付け手段（すなわち半田付け又は圧着）が最終ユーザにより所望どおりに変更される限りにおいて、いずれの取付け手段にも適応できるコネクタを有すると有益である。
【０００４】
【特許文献１】
米国特許第５７４１１５９号明細書
【０００５】
【発明が解決しようとする課題】
半田付け又は圧着が選択されるかどうかで、コネクタ取付けは所定角度の取付けが複雑になり得る。例えば、半田付け構造は、端子に対してワイヤを所定角度で半田付けすることが必要になる。この作業は、平行に半田付け接続することよりも複雑な工程である。しかし、圧着構造が使用される場合、１部分がワイヤへの接続用で別の部分がコネクタインタフェース用に所定角度である２部分を有する端子を使用して所定角度の圧着が要求される限りにおいて、工程は複雑になり得るので、取付けを複雑にしてしまう。さらに、圧着接続は、半田付け接続よりも安定した接続ではないという結果になる。従って、角度を持った端子に対する半田付け工程が簡単である同軸ケーブルコネクタを有すると有益である。
【０００６】
角度を持ったコネクタに加え、直線整列(in line)コネクタも同様にケーブルをコネクタに固定するために使用されている。ここでも、圧着又は半田付けを収容できる取付け手段を有すると有益である。
【０００７】
どちらの取付け手段が選択されても、電気的接続が安定するように封止接続部を有すると有益である。封止は多くの方法で成し得るが、取付けを容易にするためには簡単な封止機構が著しく有益である。
【０００８】
さらに、半田付け又は圧着工程及び封止工程に加えてコネクタのケーブルへの取付けは、めっき工程を含む場合がある。従って、めっきが生ずることができる手段を有し、過剰なめっき液が容易に排出されると有益である。
【０００９】
従って、本発明は、改良された同軸ケーブルコネクタを提供することを目的とする。
【００１０】
また、本発明は、圧着又は半田付け接続を許容する改良された同軸ケーブルコネクタを提供することを別の目的とする。
【００１１】
さらに、本発明は、角度を持った又はインライン用途用の圧着又は半田付け接続を許容する改良された同軸ケーブルコネクタを提供することをさらに別の目的とする。
【００１２】
【課題を解決するための手段】
本発明は、角度を有する用途又はインライン用途用に圧着又は半田付けを許容する、改良された同軸ケーブルコネクタ及びその取付方法である。
【００１３】
好適実施形態は、コネクタハウジング、ケーブルハウジング、コア部材及びキャップを具備する。コネクタハウジングは、ジャック等の相手コネクタとのインタフェースを提供するので、相手コネクタに適合するように構成される。ケーブルハウジングは、ケーブル用の取付インタフェースを提供する。コア部材は、ケーブル内部導体用の電気コンタクトを提供する。ケーブルがコネクタに一旦取り付けられると、キャップは組立体を封止する。
【００１４】
本発明の付加的な目的、効果及び新規な特徴は、以下の説明及び図面に一部が述べられ、一部は当業者には明白であり、本発明の実施により確認されよう。
【００１５】
【発明の実施の形態】
以下、添付図面を参照して本発明の好適な実施形態を詳細に説明する。図及び詳細な説明は、例示として提供されるものであり、特許請求の範囲を制限することを意図したものではない。
【００１６】
図１は、ケーブル接続部が相手コネクタから９０°の位置にある本発明の好適実施形態を示す。他の実施形態は、例えば４５°、１３５°、直線整列又は平行の接続部等の０〜１８０°間のいかなる他の角度の接続部にも適用できることに留意されたい。領域ａは、ｍで示される相手コネクタ用の嵌合領域である。
【００１７】
図１を参照すると、領域ｂは、ｗで示される同軸ケーブルが挿入される部位である。同軸ケーブルｗは本実施形態において、外部導体ｏ、内部導体ｉ及び誘電体ｅからなる。同軸ケーブルの外部導体ｏ及び内部導体ｉは、後述するように電気コンタクトを提供する実施形態と連結する。領域ｃは、上述するようにｂに挿入された内部導体ｉを圧着及び半田付けの一方又は双方のためのアクセスを与える。このため、ワイヤｗが領域ｃ内に半田付けされ、領域ａが適当な相手コネクタｍと嵌合すると、コネクタを介した導電接続が達成される。
【００１８】
図１の実施形態の部品が図２に示される。コネクタハウジング３０は、相手コネクタの対応するコンタクトと嵌合するように構成された外部コンタクト３１、外部コンタクト及びコア部材間を絶縁する誘電体３２、誘電体を確実に保持する保持リング３３、及び後述するように例えば外部ハウジングと嵌合する等の所望通りに構成され得る外部コネクタハウジングを具備する。
【００１９】
上述した外部コネクタハウジングは、特定のハウジングと嵌合するように構成された外部ハウジング（図示せず）の取付用に適合できる。例えば、ＦＡＫＲＡキーを有するコネクタは公知であるので、ハウジング上に外部ＦＡＫＲＡハウジングを使用して、対応するＦＡＫＲＡコネクタと嵌合してもよい。
【００２０】
外部コンタクト３１、誘電体３２、保持リング３３及び外部コネクタハウジングは、当業界で公知の材料で製造される。例えば、外部コンタクト３１は打抜き加工又はフォーミング加工され、誘電体３２は機械加工又は成形され、保持リング３３は機械加工又は絞り加工され、外部コネクタハウジングは機械加工され又はダイカスト製であってもよい。
【００２１】
本発明の特定実施形態におけるコネクタハウジングの特定形状は、相互作用する相手コネクタによって決定される。好適実施形態において、外部ハウジングと共にこれらコネクタハウジングは、規格化された形状及び構成の一方又は双方である。実施形態は、同様に印刷回路基板接続用にも使用することができることに留意されたい。
【００２２】
外部ケーブルハウジング２１からなり孔２３を取り囲むケーブルハウジング２０はさらに、該ハウジング２０から垂下する外部導体面２４及びフェルール２５を有し、本発明においてはコネクタハウジング３０に９０°の角度で接続される。別の実施形態において、ケーブルハウジング２０及びコネクタハウジング３０は、例えば４５°、１３５°、直線整列又は平行の接続部等の０〜１８０°間のいかなる所望の角度で接続することができるので、種々のケーブル配向に適用できるコネクタを提供する。これら部品の各々は、当業界で公知の材料で製造される。これら及び他の部品は、同様にめっきすることができ、図３を参照すると、孔１２，１３，２３と同様に凹部２６は過剰なメッキを排出できる能力を提供する。
【００２３】
図２を参照すると、同軸ケーブル（ｗで示される）の外部導体ｏは、外部導体面２４及び相手フェルール２５間に実装される。ケーブル誘電体ｅは、内部孔２３内を超えて接続される。ケーブルｗの内部導体ｏは、内部孔２３を通過してコア部材５０の孔１３内に入り、後述するように圧着及び半田付けの一方又は双方がなされる。
【００２４】
図３は、ケーブルハウジング２０及びコネクタハウジング３０内に延びるコア部材５０を示す。コア部材５０は、一端が開放した凹部２６内に少なくとも部分的にさらに延びることにより、本明細書でさらに説明されるように、ケーブルの内部導体の圧着及び半田付けの一方又は双方を可能にするためにアクセス可能である。
【００２５】
図４を参照すると、図１及び図２の実施形態の背面が示される。一端が開口した凹部２６が示される。ポート２７は、外部ケーブルハウジング２１内の円形開口である。切欠２８，２９は、一端が開口した凹部２６に境界を接するＵ字状開口であり、外部ケーブルハウジング２１の対向する両側に位置する。内部導体が孔２３及び孔１３を通過すると、今度は切欠２８，２９が圧着用のアクセスを提供する。別の実施形態において、切欠なし、所望に位置に配置された１個又は複数の切欠が、要求される取付手段に依存して一端が開放した凹部２６に境界を接することができる。例えば、半田接続のみされる実施形態においては、使用される切欠はなくてもよい。
【００２６】
好適実施形態において、内部導体のコア部材への半田付けは、内部導体の予めの錫めっき、孔１３内への内部導体の供給、及びコア部材５０を加熱して半田を溶融することにより生ずることにより、接続が得られる。
【００２７】
孔１３を使用することは、半田付け又は圧着取付にとって特に有利である。というのは、内部導体がコア部材５０内へ供給される閉じた案内手段を提供するからである。孔１３等のコア部材内に配置された閉じた案内手段は、本発明の好適実施形態に使用されて内部導体の案内を補助する。
【００２８】
図５は、図１の好適実施形態のキャップ部材４０を示す。キャップ部材４０は、外部ケーブルハウジング２１の一端が開放した凹部２６内に配置されるように形成され、ワイヤがコア部材５０上に取り付けられた後、アクセスポート２７及び切欠２８，２９用のカバーを提供する。本特定実施形態において、キャップ部材４０は、カバー４１、該カバーから垂下するフランジ４２，４３、及びフランジ４２，４３からそれぞれ垂下する嵌合フランジ４８，４９からなる。この特定構成は、フランジ４８が切欠２８と嵌合した状態及びフランジ４９が切欠２９と嵌合した状態で、（図４に示されるように）一端が開口した凹部２６と嵌合するのに適切である。こうして、キャップは残りの組立体上に圧入される。所与の実施形態におけるキャップ部材の構成及びその取付は、その実施形態の一端が開口した凹部の構成に依存するので、キャップ部材及び凹部は相補的に嵌合する構造であることに留意されたい。また、本実施形態及び別の実施形態において一体のキャップ部材を使用することにより、アクセス領域を封止する単一手段が提供できるので、組立体を簡素化する。
【００２９】
他の実施形態は、例えば、コネクタハウジング部品がケーブルと同様に印刷回路基板接続等の適当なケーブルコネクタと嵌合するように構成され、例えば、コネクタハウジング部品が適当な印刷回路基板コネクタと嵌合するように構成された、ケーブル対ケーブル接続を使用してもよいことに留意されたい。従って、本明細書において使用される「コネクタハウジング」という用語は、ケーブルに接続するように構成された実施形態と同様に、印刷回路基板に接続するように構成された実施形態を含むように意図されており、同様に、「相手コネクタ」という用語はケーブル及び印刷回路基板コネクタを含むことを意図されている。
【００３０】
図面により示された前述の説明及び図面は、例示目的であって本発明を制限するように意図されたものではなく、またそう解釈すべきでない。
【００３１】
さらに、本明細書を読むことにより、当業者であれば多くの変形、変更が示唆され、それらが特許請求の範囲に定義された本発明の真髄及び範囲内であることを意図されている。
【図面の簡単な説明】
【図１】ケーブル接続部が相手コネクタから９０°の位置にある本発明の好適実施形態を示す側面図である。
【図２】図１の実施形態の部品を示す部分断面図である。
【図３】図１のケーブルハウジング及びコネクタハウジング内に延びるコア部材を示す側面図である。
【図４】図１の実施形態を示す斜視図である。
【図５】図１の好適実施形態のキャップ部材を示す斜視図である。
【符号の説明】
２０  ケーブルハウジング
２６  凹部
３０  コネクタハウジング
４０  キャップ
５０  コア部材
ｉ    内部導体
ｍ    相手コネクタ
ｗ    同軸ケーブル
【図１】
0004342188.tif 000002
【図２】
0004342188.tif 000003
【図３】
0004342188.tif 000004
【図４】
0004342188.tif 000005
【図５】
0004342188.tif 000006